(57)【要約】【課題】本発明は、矩形の編地を折り返した三角形を基本形状としている袋状編地を形成する場合、前後の編地の境界辺においてウェールを連続した状態に形成することで、該袋状編地の前後編地でウェール方向を変えることを可能とする編成方法と編地を提供する。【解決手段】少なくとも前後一対の針床を有する横編機を用い、矩形の編地を折り返した三角形を基本形としている袋状編地を形成する際、第１の針床に第１編目列を、第２の針床に第２編目列を対向して設ける。第１編目列にウェールが連続する第３編目列を形成しながら第２編目列から遠ざかるように第１の針床で一方のコース方向に移動させる。移動により生じた空針に掛目の列を設けて連続する第５編目列と、移動した第３編目列に対向する第２の針床で空針に掛目の列を設けて連続する第６編目列を設ける。その後、第１の針床に係止する編目と該編目と対向する第２の針床に係止する編目を接合する。【選択図】図１
2011042894.tif 000002
【特許請求の範囲】
【請求項１】
少なくとも前後に対向する第１の針床と第２の針床とを備える横編機を用いた、三角形を基本形状とする袋状編地の編成方法において、
（Ｓ１）第１の針床に第１編目列を、第２の針床に第２編目列を対向して設けるステップと、
（Ｓ２）第１編目列にウェールが連続する編目列を複数列編成しながら第３編目列に至って三角形状を形成する矩形編地を編成すると共に、第３編目列と前記第２編目列の間で、第１編目列とウェールが連続する各編目列を第２編目列から遠ざかるように第１の針床で一方のコース方向に移動させ、移動により生じた空針に掛目の列を設けて連続する第５編目列と、前記移動した第３編目列に対向する第２の針床で空針に掛目の列を設けて連続する第６編目列を設けるステッフ゜と、
（Ｓ３）第１の針床に係止する編目と該編目と対向する第２の針床に係止する編目を接合するステップを含むことを特徴とする袋状編地の編成方法。
【請求項２】
前記（Ｓ２）の後、前記（Ｓ３）の前に、
（Ｓ４）前記第２編目列とウェールが連続する各編目列を複数列編成しながら第４編目列に至って三角形状を形成する矩形編地を編成すると共に、第３編目列から遠ざかるように第２の針床で他方のコース方向に移動させ、移動により生じた空針に掛目の列を設けて連続する第７編目列とし、前記移動した第４編目列に対向する第１の針床で空針に掛目の列を設けて連続する第８編目列とすることを特徴とする請求項１記載の袋状編地の編成方法。
【請求項３】
少なくとも前後一対の針床を備える横編機を用いて編成された三角形を基本形状とする袋状編地において、矩形の編地を折り返した三角形を基本形状とし、前後編地のウェール方向が異なり、直行する編目で閉じられた前後編地の境界と編目がウェール方向に連続している前後編地の境界を有することを特徴とする袋状編地。
【発明の詳細な説明】
【技術分野】
【０００１】
本発明は、矩形の編地を折り返した三角形状を基本形とする袋状編地とその編成方法に関する。
【背景技術】
【０００２】
一般に、横編機を用いて三角形状の袋状編地を編成するには、以下の方法などがある。ここで示す袋状編地は、少なくとも２辺で前後編地が繋がっており、残りの１辺は繋がっても繋がっていなくてもよい。つまり、３辺が全て閉じられているものも含む。図４(ａ）は、給糸口１つで頂点から底辺に向けて編成する三角形状の袋状編地を示す図である。頂点Ａとして前後の針床に編み出し６を行った後、周回編成しながら徐々に編幅の増やしを繰り返して、底辺ＢＣで前後の針床に係止する編目を接合したものである。図４(ｂ）は、給糸口１つで底辺から頂点に向けて編成する三角形状の袋状編地を示す図である。底辺ＢＣとなる編幅で前後それぞれの針床に編み出し６を行い、周回編成しながら徐々に編幅を減らし、頂点Ａまで減らしを繰り返したものである。ともに編成方向は矢印で示す。
【発明の概要】
【発明が解決しようとする課題】
【０００３】
しかしながら、図４（ａ）、（ｂ）の従来方法で三角形状の袋状編地を形成すると、編み出し６からの編目のウェール方向は前後編地ともに同じ方向となる。本発明では、上記内容を鑑み、三角形を基本形状とする袋状編地を編成する際に、前後編地でウェール方向を変えることを可能とする編成方法と、その編成により得られる編地を提供する。
【課題を解決するための手段】
【０００４】
本発明は、少なくとも前後に対向する第１の針床と第２の針床とを備える横編機を用いた、三角形を基本形状とする袋状編地の編成方法において、
（Ｓ１）第１の針床に第１編目列を、第２の針床に第２編目列を対向して設けるステップと、
（Ｓ２）第１編目列にウェールが連続する編目列を複数列編成しながら第３編目列に至って三角形状を形成する矩形編地を編成すると共に、第３編目列と前記第２編目列の間で、第１編目列とウェールが連続する各編目列を第２編目列から遠ざかるように第１の針床で一方のコース方向に移動させ、移動により生じた空針に掛目の列を設けて連続する第５編目列と、前記移動した第３編目列に対向する第２の針床で空針に掛目の列を設けて連続する第６編目列を設けるステッフ゜と、
（Ｓ３）第１の針床に係止する編目と該編目と対向する第２の針床に係止する編目を接合するステップを含むことを特徴とする。
【０００５】
また本発明では、前記（Ｓ２）の後、前記（Ｓ３）の前に、
（Ｓ４）前記第２編目列とウェールが連続する各編目列を複数列編成しながら第４編目列に至って三角形状を形成する矩形編地を編成すると共に、第３編目列から遠ざかるように第２の針床で他方のコース方向に移動させ、移動により生じた空針に掛目の列を設けて連続する第７編目列とし、前記移動した第４編目列に対向する第１の針床で空針に掛目の列を設けて連続する第８編目列とすることを特徴とする。
【０００６】
また本発明の袋状編地は、少なくとも前後一対の針床を備える横編機を用いて編成された三角形を基本形状とする袋状編地において、矩形の編地を折り返した三角形を基本形状とし、前後編地のウェール方向が異なり、直行する編目で閉じられた前後編地の境界と編目がウェール方向に連続している前後編地の境界を有することを特徴とする。
【発明の効果】
【０００７】
本発明では、袋状編地を形成する矩形編地の４辺の編目を前後の編針に係止するようにし、該編地を折り返した状態で前後編地を接合することでウェール方向を変えることができる。
【０００８】
さらに本発明では、矩形の編地を折り返した三角形を寄せ合わせた形の袋状編地を形成することができる。
【０００９】
さらに本発明により得られる袋状編地は、前後編地のウェール方向が異なり、また、前後編地の境界において編目がウェール方向に連続している部分を有することで、ウェール方向に連続している柄が前後編地に形成できる。
【図面の簡単な説明】
【００１０】
【図１】本発明の実施例である四角形状の袋状編地１を示す図である。
【図２】本発明の実施例である四角形状の袋状編地１の編成工程図である。
【図３】図２に続く編成工程図である。
【図４】従来の編成方法により得られる三角形状の袋状編地を示す図である。
【発明を実施するための形態】
【００１１】
以下、本発明の実施例として四角形状の袋状編地１の編成方法について説明する。この場合、矩形の編地を折り返した三角形を基本形状としている。すなわち、三角形を組み合わせた状態に形成する四角形状の袋状編地１である。ここに示す袋状編地も、少なくとも２辺で前後編地が繋がっており、残りの辺は繋がっても繋がっていなくてもよい。前後編地の境界で開口部を有する状態と完全に閉じられた状態の両方を含み、前者ではニットウェアやニット小物を、後者ではクッションなどを形成できる。また以下の説明で編成に使用する横編機は、前後一対の針床を備えた２枚ベッド横編機であり、後針床が前針床に対してラッキング可能なものである。編成工程図は、説明の便宜上、実際の編成より針数を少なくしている。また、公知の４枚ベッド横編機を使ってもよい。その場合は目移し等に使う為の空針は不要となる。
【実施例】
【００１２】
図１は、実施例である四角形状の袋状編地１を示す図である。図１（ａ）、（ｂ）を用い、編成を行う矩形の角（点）の位置関係を示す。矢印は編成方向を示し、実線は手前側の編地での編成方向を、点線は奥側の編地での編成方向を示している。図１（ａ）は、編成する基本となる矩形ＡＢＣＤと矩形ＥＦＧＨを示す。ともに正方形であり、辺ＡＢの編目数と辺ＢＣで示すコース数（編目数)と、辺ＥＦの編目数と辺ＦＧで示すコース数（編目数)とが等しい。矩形ＡＢＣＤの辺ＡＢでは、後針床ＢＢに第１編目列１１を、対向する前針床ＦＢに第２編目列１２を編み出しとして編成する。ＢＢの第１編目列１１のみ、矢印で示すウェール方向に編目列を連続して形成しながら、第３編目列１３として辺ＤＣに至る。この時、ＦＢの第２編目列１２とＢＢの第３編目列１３の間に、それぞれ掛目となるＢＢの第５編目列１５とＦＢの第６編目列１６を形成する。矩形ＡＢＣＤの編成に続き、矩形ＥＦＧＨの辺ＥＦとして、ＦＢに係止する第２編目列１２に続けてウェール方向に編目列を連続して形成し、第４編目列１４として辺ＨＧに至る。
【００１３】
図１（ａ）に示す２つの矩形は辺ＡＢと辺ＥＦが前後の針床で対向する形で編み出しにより繋がり、そこを基点に辺ＤＣと辺ＨＧが対向する針床上で遠ざかる方向に移動する形となる。目移しでＢＢの第１編目列１１とＦＢの第２編目列１２に連続する編目列の移動を行うが、矩形ＡＢＣＤでは第３編目列１３となる辺ＤＣが右側に、そして矩形ＥＦＧＨでは第４編目列１４となる辺ＨＧが左側に移動し、それぞれ掛目となるＢＢの第５編目列１５とＦＢの第７編目列１７を移動してできた空針に形成している。この左右の方向は共に入れ替わっても良い
【００１４】
一方、前記移動した第３編目列１３となる辺ＤＣに対向する第２の針床で、辺ＢＣに対応する空針に掛目の列を設けて連続する第６編目列１６を形成する。また、前記移動した第４編目列１４となる辺ＨＧに対向する第１の針床で辺ＥＨに対応する空針に掛目の列を設けて連続する第８編目列１８を形成する。第６編目列１６と第８編目列１８はともに対向する第３編目列１３と第４編目列１４の移動に合わせて形成される。ＢＢとＦＢの編目列幅を考慮し、前後同等に増加している。図１（ｂ）は、編成後の四角形状の袋状編地１を示す。図１（ａ）で示した２つの矩形が折り返すことで三角形状を形成し、辺ＡＢと辺ＥＦで２つの三角形状の袋状編地が繋がることを示している。辺ＧＨと辺ＢＣは伏目処理により閉じられるが、前後編地が直行する編目で閉じられた境界となり、辺ＡＣと辺ＦＨで編目がウェール方向に連続している前後編地の境界となる。
【００１５】
図２は、本発明の実施例である四角形状の袋状編地１の編成工程図である。更に図３は、図２に続く編成工程図である。図中、黒三角は給糸口を、黒丸は新たに形成する編目を、白丸は編針に係止したままの旧編目を、Ｖ字は掛目を、矢印は目移しを示す。またＦＢは前針床を、ＢＢは後針床を示し、大文字のＡ〜ＸはＦＢの編針を、小文字のａ〜ｘはＢＢの編針を、Ｓ＋数字は編成ステップを示す。以下、編成ステップＳ１〜Ｓ１３について説明する。Ｓ１では、１つの給糸口を用い、前後の針床を使って編針Ｐ，ｏ，Ｎ，ｍ，Ｌ，ｋ，Ｊ，ｉに新たな編目を形成する。第１の針床としてＦＢの編針Ｐ，Ｎ，Ｌ，Ｊに第１編目列１１を、第２の針床として、ＢＢの編針ｏ，ｍ，ｋ，ｉに第２編目列１２を形成する。Ｓ２は、ＢＢの編針ｉ，ｋ，ｍ，ｏに係止する各編目をＢＢの編針ｋ，ｍ，ｏ，ｑに目移しする。Ｓ３は、目移しで空針となった編針ｉへの掛目の形成と、ＢＢの編針ｋ，ｍ，ｏ，ｑに係止する編目に続けて新たな編目を形成し、さらに編針Ｒに掛目を形成する。編針ｉへの掛目の形成が、第５編目列１５の始端となる。
【００１６】
Ｓ４では、ＢＢの編針ｑ，ｏ，ｍ，ｋに係止する編目に続けて新たな編目を形成する。Ｓ５は、ＢＢの編針ｋ，ｍ，ｏ，ｑに係止する各編目をＢＢの編針ｍ，ｏ，ｑ，ｓに目移しする。Ｓ６は、目移しで空針となったＢＢの編針ｋへの掛目の形成と、ＢＢの編針ｍ，ｏ，ｑ，ｓに係止する編目に続けて新たな編目を形成し、さらに編針Ｔに掛目を形成する。Ｓ７は、Ｓ６に続いてＳ４〜Ｓ６と同様の工程を２回繰り返した後の前後針床の編針への編目の係止状態を示す。
【００１７】
図３に示すＳ８は、ＦＢの編針Ｐ，Ｎ，Ｌ，Ｊに係止する編目に続けて新たな編目を形成し、ＢＢの編針ｇに掛目を形成する。Ｓ９は、ＦＢの編針Ｊ，Ｌ，Ｎ，Ｐに係止する編目に続けて新たな編目を形成する。Ｓ１０は、ＢＢの編針ｊ，ｌ，ｎ，ｐに係止する各編目をＢＢの編針ｈ，ｊ，ｌ，ｎに目移しする。Ｓ２とＳ５の移動方向とは逆の方向で、第３編目列１３から遠ざかる方向である。Ｓ１１は、目移しで空針となったＦＢの編針Ｐへの掛目の形成と、ＦＢの編針Ｎ，Ｌ，Ｊ，Ｈに係止する編目に続けて新たな編目を形成し、ＢＢの編針ｅに掛目を形成する。Ｓ１２は、ＦＢの編針Ｈ，Ｊ，Ｌ，Ｎに係止する編目に続けて新たな編目を形成する。
【００１８】
Ｓ１３は、Ｓ１２に続いてＳ１０〜Ｓ１２の同様の工程を３回繰り返した後の、前後針床の編針への編目の係止状態を示す。Ｓ７に示した第２編目列１２にウェールが連続する編目列を複数列編成しながら、第３編目列１３から遠ざかるように第２の針床で他方のコース方向に移動する。編目列の編成と移動による第４編目列１４と第６編目列１６との間に掛目の列を設けて連続する第７編目列１７を形成する。さらに、第５編目列１５に続いて、移動した第４編目列に対向する第１の針床で空針に掛目の列を設けて連続する第８編目列１８を形成する。
【００１９】
その後、対向する第１と第２の前後針床に係止する編目または掛目を、編針Ａ側から編針Ｘ側に向けて公知の伏目で接合する。つまり、第８編目列１８と第４編目列１４、第５編目列１５と第７編目列１７、第３編目列１３と第６編目列１６を接合する。編成された四角形状の袋状編地１は、図１（ｂ）で示すように、辺ＡＢ（辺ＥＦ）を基点として矢印のように互いに逆の方向に向けて編目列が連続し、辺ＡＣと辺ＦＨを境界として前後編地でウェール方向が変わっている。また、辺ＡＣと辺ＦＨを境界として前後編地でウェールが連続し、編成する編目列がウェール方向に繋がっている為、編目や組織柄においても前後編地で連続させることができる。
【００２０】
なお、Ｓ１〜Ｓ７の工程の後、Ｓ８〜Ｓ１３の工程を行わずに公知の伏目で前後編地の接合を行えば、矩形ＡＢＣＤによる三角形状の袋状編地ＡＢＣが形成される。実施例の四角形状の袋状編地１は、矩形ＡＢＣＤと矩形ＥＦＧＨにより形成される各三角形状の袋状編地が基本形状として組み合わされており、一方の三角形状に連続して他方の三角形状を繋げた状態となる。矩形ＡＢＣＤの形成で終了し、公知の伏目を完了すれば、単独の三角形状の袋状編地が完成する。
【００２１】
実施例では、前後針床で対向するように全ての編目や掛目を伏目により接合したが、部分的に前後針床で接合を行わなければそこは開口部となる。更に該開口部に対し、新たに矩形の編地を折り返した三角形を繰り返し形成すれば、多角形状の袋状編地を形成することができる。また、実施例では矩形が正方形であり、折り返した三角形が前後同じ形状となっている。そのため四角形状の袋状編地として菱形が形成できるが、第１編目列１１や第２編目列１２に連続する編目列を形成する際、その編目列の編成コース数を変更してもよい。その場合、折り返す三角形の頂点がずれてその部分に開口部が設けられる。
【００２２】
さらに実施例では、矩形ＡＢＣＤを編成後、続けて矩形ＥＦＧＨを編成したが、２つの給糸口を用いることで辺ＡＢと辺ＥＨを基点に並行して各矩形を形成することもできる。実施例で行ったように移動する方向はそれぞれが遠ざかるようにすれば良い。
【符号の説明】
【００２３】
１            四角形状の袋状編地
１１          第１編目列
１２          第２編目列
１３          第３編目列
１４          第４編目列
１５          第５編目列
１６          第６編目列
【図１】
2011042894.tif 000003
【図２】
2011042894.tif 000004
【図３】
2011042894.tif 000005
【図４】
2011042894.tif 000006